(57)【要約】【課題】消費電力量の調整要求に応じることによるメリットとデメリットとを自動的にバランスさせることが可能な設備機器の管理装置等を提供する。【解決手段】ＨＥＭＳ通信部５１は、所定期間における消費電力量の調整要求を受け付ける。調整制御部５２ａは、消費電力量の調整要求を受け入れた場合に、通常制御と比較して消費電力量の調整要求がより多く満たされるようにデマンドレスポンス制御を行う。ＨＥＭＳ入力部５５は、デマンドレスポンス制御が行われている状態で、消費電力量の調整要求の受け入れの継続状態を調整期間の途中で途絶えさせるためのキャンセル指示を受け付ける。判断部５２ｂは、消費電力量の調整要求を受け入れるか否かを、我慢レートを含んだ受け入れ判断基準情報Ｂに従って自動的に判断する。判断部５２ｂは、ＨＥＭＳ入力部５５がキャンセル指示を受け付けたことに応じて受け入れ判断基準の我慢レートを更新させる。【選択図】図１０
2014120030.tif 000002
【特許請求の範囲】
【請求項１】
利用の際に電力を消費する設備機器（７，８）の管理を前記消費電力量の調整要求に基づいて行う管理装置（５）であって、
所定期間における消費電力量の調整要求を受け付ける要求受付部（５１）と、
前記消費電力量の調整要求を受け入れた場合に、前記消費電力量の調整要求を受け入れない場合と比較して前記消費電力量の調整要求がより多く満たされることになるように前記設備機器の制御を行う調整制御部（５２ａ）と、
前記消費電力量の調整要求を受け入れたことにより前記調整制御部が消費電力量を調整した制御を行っている状態で、前記消費電力量の調整要求の受け入れの継続状態を前記所定期間の途中で途絶えさせるためのキャンセル指示を受け付けるキャンセル受付部（５５）と、
前記要求受付部が受け付けた前記消費電力量の調整要求を受け入れるか否かを、受け入れ判断基準（５３ｂ）に従って自動的に判断する判断部（５２ｂ）と、
を備え、
前記判断部（５２ｂ）は、前記キャンセル受付部が前記キャンセル指示を受け付けたことに応じて前記受け入れ判断基準を更新させ、
前記管理装置（５）は、前記所定期間の前記消費電力量の調整要求を受け入れることで消費電力量を調整したデマンドレスポンス制御を行っている途中に前記キャンセル受付部（５５）にキャンセル指示を受け付けさせて前記消費電力量の調整要求のキャンセルを行った需要家に対してペナルティが付与される処理と、前記所定期間の前記消費電力量の調整要求を受け入れて消費電力量を調整したデマンドレスポンス制御を行った需要家に対して前記デマンドレスポンス制御を実行した期間に応じてインセンティブが付与される処理と、の少なくともいずれかの処理が行われるエネルギ管理システム（１００）において用いられる、
設備機器の管理装置（５）。
【請求項２】
前記キャンセル受付部（５５）が受け付けた前記キャンセル指示の履歴情報を記憶したキャンセル履歴記憶部（５３）をさらに備え、
前記判断部（５２ｂ）は、前記キャンセル履歴記憶部（５３）に記憶されている前記履歴情報に基づいて、前記キャンセル指示の頻度が高い場合には前記消費電力量の調整要求を受け入れにくくなるように前記受け入れ判断基準を更新させる、
請求項１に記載の設備機器の管理装置。
【請求項３】
前記判断部（５２ｂ）は、前記消費電力量の調整要求が受け入れられ、かつ、前記所定期間の間受け入れた状態を維持して完遂した場合には、前記消費電力量の調整要求が受け入れやすくなるように前記受け入れ判断基準を更新させる、
請求項１または２に記載の設備機器の管理装置。
【請求項４】
前記要求受付部（５１）が受け付ける前記消費電力量の調整要求に対する前記ペナルティもしくは前記インセンティブは、金銭の額として予め定められており、
前記判断部（５２ｂ）は、前記消費電力量の調整要求を受け入れて実行される消費電力量を調整した制御を行うことによって、前記消費電力量を調整した制御を行わない場合と比較して、より多く調整されることとなる調整消費電力を求め、
前記受け入れ判断基準に従った自動的な判断は、前記調整消費電力に対して判断係数を乗じて得られる値と、前記金銭の額と、を比較することによって行われる、
請求項１から３のいずれか１項に記載の設備機器の管理装置。
【請求項５】
利用の際に電力を消費し、前記消費電力量の調整要求に基づいた管理が行われる複数の設備機器（７，８）と、
所定期間における消費電力量の調整要求を受け付ける要求受付装置（５１）と、
前記消費電力量の調整要求を受け入れた場合に、前記消費電力量の調整要求を受け入れない場合と比較して消費電力量が調整されるように前記設備機器の制御を行う調整制御装置（５２ａ）と、
前記消費電力量の調整要求を受け入れたことにより前記調整制御装置が消費電力量を調整した制御を行っている状態で、前記消費電力量の調整要求の受け入れの継続状態を前記所定期間の途中で途絶えさせるためのキャンセル指示を受け付けるキャンセル受付装置（５５）と、
前記要求受付装置が受け付けた前記消費電力量の調整要求を受け入れるか否かを、受け入れ判断基準に従って自動的に判断する判断装置（５２ｂ）と、
を備え、
前記判断装置は、前記キャンセル受付装置が前記キャンセル指示を受け付けたことに応じて前記受け入れ判断基準を更新させ、
前記所定期間の前記消費電力量の調整要求を受け入れることで消費電力量を調整したデマンドレスポンス制御を行っている途中に前記キャンセル受付装置（５５）にキャンセル指示を受け付けさせて前記消費電力量の調整要求のキャンセルを行った需要家に対してペナルティが付与される処理と、前記所定期間の前記消費電力量の調整要求を受け入れて消費電力量を調整したデマンドレスポンス制御を行った需要家に対して前記デマンドレスポンス制御を実行した期間に応じてインセンティブが付与される処理と、の少なくともいずれかの処理が行われるエネルギ管理システム（１００）の一部を構成している、
設備機器の管理システム（１０）。
【請求項６】
利用の際に電力を消費する設備機器（７，８）の管理を前記消費電力量の調整要求に基づいて管理装置（５）によって管理させるプログラム（５４）であって、
所定期間における消費電力量の調整要求を受け付けるステップと、
前記消費電力量の調整要求を受け入れた場合に、前記消費電力量の調整要求を受け入れない場合と比較して消費電力量が調整されるように前記設備機器の制御を行うステップと、
前記消費電力量の調整要求を受け入れたことにより前記消費電力量を調整した制御を行っている状態で、前記消費電力量の調整要求の受け入れの継続状態を前記所定期間の途中で途絶えさせるためのキャンセル指示を受け付けるステップと、
前記キャンセル指示を受け付けたことに応じて更新される受け入れ判断基準に従って、前記消費電力量の調整要求を受け入れるか否かを自動的に判断するステップと、
を含む処理を前記管理装置に実行させ、
前記管理装置（５）は、前記所定期間の前記消費電力量の調整要求を受け入れることで消費電力量を調整したデマンドレスポンス制御を行っている途中に前記キャンセル指示を受け付けさせ前記消費電力量の調整要求のキャンセルを行った需要家に対してペナルティが付与される処理と、前記所定期間の前記消費電力量の調整要求を受け入れて消費電力量を調整したデマンドレスポンス制御を行った需要家に対して前記デマンドレスポンス制御を実行した期間に応じてインセンティブが付与される処理と、の少なくともいずれかの処理が行われるエネルギ管理システム（１００）の一部を構成している、
プログラム（５４）。
【請求項７】
請求項６に記載のプログラム（５４）が一時的でなく記録されている記録媒体（１５４）。
【発明の詳細な説明】
【技術分野】
【０００１】
本発明は、設備機器の管理装置、管理システム、プログラム、および、記録媒体に関する。
【背景技術】
【０００２】
従来から、夏期等に、消費電力量が一時的に上昇し、電力の供給が逼迫した状況になると、電力が不足する状況になることを避けるために、電力供給側の主体から、空気調和装置の消費電力の調整を促すデマンド制御の要求（消費電力量の調整要求）がなされるシステムが考案されている。
【０００３】
例えば、特許文献１（特開平１０−３０８３４号公報）に記載されているシステムでは、電力の逼迫時に、デマンド制御の要請を受け付け、空気調和装置の出力を低減させて消費電力量を調整させることが求められた場合に、空調されている空間の快適性が著しく悪化してしまうことに着目している。この特許文献１に記載のシステムでは、快適性を損なうことを理由にデマンド制御の要請をキャンセルする需要家をできるだけ減らすことを目的として、デマンド制御の要請を受け入れた場合であっても、できるだけ空調対象空間の快適性を損なわないように制御を行うことが提案されている。
【発明の概要】
【発明が解決しようとする課題】
【０００４】
上記特許文献１に記載のシステムでは、快適度ＰＭＶを用いたデマンド制御を行うことで、設定温度の変更によりデマンド制御する場合に比べて、消費電力の調整と需要家の快適性との両立を可能にする、という提案がなされている。
【０００５】
ところが、快適度ＰＭＶ等の指標を用いた制御は、需要家の快適性を推定することはできても、需要家が実際に快適と感じているか否かは定かではない。仮に、快適度ＰＭＶ等の指標を用いた制御によっては快適に感じることができない需要家がいた場合には、当該システムで運転している限り、快適性が向上することはない。
【０００６】
ここで、需要者は、消費電力量の調整要求に応じることで、電気料金の低額化等のインセンティブを受ける。他方で、電力会社等の電力供給側の運営者は、ピーク時の消費電力量を小さく抑えて、発電関連設備を必要以上に大型化させる必要を無くすることができる等のメリットが得られる。そして、例えば、消費電力量の調整要求を受け入れた場合に需要家に与えられる対価等が大きい場合には、快適性が損なわれることがあったとしても、当該対価等を得ることを重視する需要家も存在する。
【０００７】
そして、消費電力量の調整要求に応じることでインセンティブが付与されるというメリットと、消費電力量の調整要求に応じることで快適性を損なうというデメリットと、がバランスするポイントは、需要家毎に異なるものである。
【０００８】
本発明の課題は、上述した点に鑑みてなされたものであり、消費電力量の調整要求に応じることによるメリットとデメリットとをバランスすることができる需要家毎のバランス点を自動的に実現させることが可能な設備機器の管理装置、管理システム、プログラム、および、記録媒体を提供することにある。
【課題を解決するための手段】
【０００９】
第１観点に係る設備機器の管理装置は、利用の際に電力を消費する設備機器の管理を消費電力量の調整要求に基づいて行う管理装置であって、要求受付部と、調整制御部と、キャンセル受付部と、判断部と、を備えている。要求受付部は、所定期間における消費電力量の調整要求を受け付ける。調整制御部は、消費電力量の調整要求を受け入れた場合に、消費電力量の調整要求を受け入れない場合と比較して消費電力量がより多く調整されることになるように設備機器の制御を行う。キャンセル受付部は、消費電力量の調整要求を受け入れたことにより調整制御部が消費電力量を調整した制御を行っている状態で、消費電力量の調整要求の受け入れの継続状態を所定期間の途中で途絶えさせるためのキャンセル指示を受け付ける。判断部は、要求受付部が受け付けた消費電力量の調整要求を受け入れるか否かを、受け入れ判断基準に従って自動的に判断する。判断部は、キャンセル受付部がキャンセル指示を受け付けたことに応じて受け入れ判断基準を更新させる。管理装置は、所定期間の消費電力量の調整要求を受け入れることで消費電力量を調整したデマンドレスポンス制御を行っている途中にキャンセル受付部にキャンセル指示を受け付けさせて消費電力量の調整要求のキャンセルを行った需要家に対してペナルティが付与される処理と、所定期間の消費電力量の調整要求を受け入れて消費電力量を調整したデマンドレスポンス制御を行った需要家に対してデマンドレスポンス制御を実行した期間に応じてインセンティブが付与される処理と、の少なくともいずれかの処理が行われるエネルギ管理システムにおいて用いられる。
【００１０】
この設備機器の管理装置では、消費電力量の調整要求の指示を受け付けた場合に、調整制御部は、消費電力量が調整されるように設備機器の制御を行うため、調整要求の内容に沿うように消費電力量を小さく抑えるもしくは消費電力を大きくすることができる。
【００１１】
また、設備機器の管理装置は、消費電力量を調整した制御が行われている状態で、キャンセル受付部がキャンセル指示を受け付けた場合に、消費電力量の調整要求の受け入れの継続状態を途中で途絶えさせることで、消費電力量を調整した制御を中止することが可能になる。
【００１２】
このため、需要家は、消費電力量の調整要求に応じることによって設備機器の消費電力量が調整されるように制御されて、不快に感じる状況になり、キャンセルに伴うペナルティによって受ける不快感もしくはインセンティブの喪失により受ける不快感よりも、設備機器の消費電力量を調整した制御によって受ける不快感の方が強い場合には、キャンセル受付部がキャンセルを受け付けることによって、当該不快感を強く感じる側の状況を脱することができる。他方で、設備機器の消費電力量を調整した制御によって受ける不快感よりも、キャンセルに伴うペナルティによって受ける不快感もしくはインセンティブの喪失により受ける不快感の方が強い場合には、キャンセルを行わないでペナルティの発生を防ぐことも可能になる。
【００１３】
ここで、設備機器の管理装置の判断部は、消費電力量の調整要求を受け入れるか否かを、受け入れ判断基準に従って自動的に判断している。そして、この受け入れ判断基準は、キャンセル受付部がキャンセル指示を受け付けたことに応じて更新されている。したがって、受け入れ判断基準には、消費電力量の調整要求に応じることによるメリットとデメリットとをバランスすることができる需要家毎のバランス点を反映させることができる。
【００１４】
以上により、この設備機器の管理装置では、消費電力量の調整要求に応じることによるメリットとデメリットとをバランスすることができる需要家毎のバランス点を自動的に実現させることができるように、判断部に、消費電力量の調整要求を受け入れるか否かを判断させることが可能になる。
【００１５】
第２観点に係る設備機器の管理装置は、第１観点に係る設備機器の管理装置であって、キャンセル履歴記憶部を更に備えている。キャンセル履歴記憶部は、キャンセル受付部が受け付けたキャンセル指示の履歴情報を記憶している。判断部は、キャンセル履歴記憶部に記憶されている履歴情報に基づいて、キャンセル指示の頻度が高い場合には消費電力量の調整要求が受け入れにくくなるように受け入れ判断基準を更新させる。
【００１６】
この設備機器の管理装置では、キャンセル指示の頻度が高い場合には、受け入れ判断基準が更新され、消費電力量の調整要求が受け入れられにくくなるように修正される。このため、現状の受け入れ判断基準では、需要家は、キャンセルに伴うペナルティによって受ける不快感もしくはインセンティブの喪失により受ける不快感よりも、設備機器の消費電力量を調整した制御によって受ける不快感の方を強く感じやすいと推定することができる。そして、この場合に、消費電力量の調整要求が受け入れられにくくなるように判断部が受け入れ判断基準を更新するため、受け入れ判断基準を需要家のニーズに沿った基準に近づけることができる。
【００１７】
第３観点に係る設備機器の管理装置は、第１観点または第２観点のいずれかに係る設備機器の管理装置であって、判断部は、消費電力量の調整要求が受け入れられ、かつ、所定期間の間受け入れた状態を維持して完遂した場合には、消費電力量の調整要求が受け入れやすくなるように受け入れ判断基準を更新させる。
【００１８】
この設備機器の管理装置では、キャンセル指示を受け付けることなく消費電力量の調整要求の所定期間の間受け入れた状態を維持して完遂した場合には、受け入れ判断基準が更新され、消費電力量の調整要求が受け入れられやすくなるように修正される。このため、現状の受け入れ判断基準では、需要家は、設備機器の消費電力量を調整した制御によって受ける不快感よりも、キャンセルに伴うペナルティによって受ける不快感もしくはインセンティブの喪失により受ける不快感の方を強く感じやすいと推定することができる。そして、この場合に、消費電力量の調整要求が受け入れられやすくなるように判断部が受け入れ判断基準を更新するため、受け入れ判断基準を需要家のニーズに沿った基準に近づけることができる。
【００１９】
第４観点に係る設備機器の管理装置は、第１観点から第３観点のいずれかに係る設備機器の管理装置であって、要求受付部が受け付ける消費電力量の調整要求に対するペナルティもしくはインセンティブは、金銭の額として予め定められている。判断部は、消費電力量の調整要求を受け入れて実行される消費電力量を調整した制御を行うことによって、消費電力量を調整した制御を行わない場合と比較して、調整されることとなる調整消費電力を求める。受け入れ判断基準に従った自動的な判断は、調整消費電力に対して判断係数を乗じて得られる値と、金銭の額と、を比較することによって行われる。
【００２０】
この設備機器の管理装置では、消費電力量の調整要求に対するペナルティもしくはインセンティブの大きさとの関係を、受け入れ判断基準に反映させることが可能になる。
【００２１】
第５観点に係る設備機器の管理システムは、複数の設備機器と、要求受付装置と、調整制御装置と、キャンセル受付装置と、判断装置と、を備えている。設備機器は、利用の際に電力を消費し、消費電力量の調整要求に基づいた管理が行われる。要求受付装置は、所定期間における消費電力量の調整要求を受け付ける。調整制御装置は、消費電力量の調整要求を受け入れた場合に、消費電力量の調整要求を受け入れない場合と比較して消費電力量がより多く調整されることになるように設備機器の制御を行う。キャンセル受付装置は、消費電力量の調整要求を受け入れたことにより調整制御装置が消費電力量を調整した制御を行っている状態で、消費電力量の調整要求の受け入れの継続状態を所定期間の途中で途絶えさせるためのキャンセル指示を受け付ける。判断装置は、要求受付装置が受け付けた消費電力量の調整要求を受け入れるか否かを、受け入れ判断基準に従って自動的に判断する。判断装置は、キャンセル受付装置がキャンセル指示を受け付けたことに応じて受け入れ判断基準を更新させる。当該設備機器の管理システムは、所定期間の消費電力量の調整要求を受け入れることで消費電力量を調整したデマンドレスポンス制御を行っている途中にキャンセル受付装置にキャンセル指示を受け付けさせて消費電力量の調整要求のキャンセルを行った需要家に対してペナルティが付与される処理と、所定期間の消費電力量の調整要求を受け入れて消費電力量を調整したデマンドレスポンス制御を行った需要家に対してデマンドレスポンス制御を実行した期間に応じてインセンティブが付与される処理と、の少なくともいずれかの処理が行われるエネルギ管理システムの一部を構成している。
【００２２】
この設備機器の管理システムでは、消費電力量の調整要求の指示を受け付けた場合に、調整制御装置は、消費電力量が調整されるように設備機器の制御を行うため、消費電力量を調整要求に沿わせることができる。
【００２３】
また、設備機器の管理装置は、消費電力量を調整した制御が行われている状態で、キャンセル受付部がキャンセル指示を受け付けた場合に、消費電力量の調整要求の受け入れの継続状態を途中で途絶えさせることで、消費電力量を調整した制御を中止することが可能になる。
【００２４】
このため、需要家は、消費電力量の調整要求に応じることによって設備機器の消費電力量が調整されるように制御されて、不快に感じる状況になったとしても、キャンセルに伴うペナルティによって受ける不快感もしくはインセンティブの喪失により受ける不快感よりも、設備機器の消費電力量を調整した制御によって受ける不快感の方が強い場合には、キャンセル受付装置にキャンセルを受け付けさせて、当該不快感を強く感じる側の状況を脱することができる。他方で、設備機器の消費電力量を調整した制御によって受ける不快感よりも、キャンセルに伴うペナルティによって受ける不快感もしくはインセンティブの喪失により受ける不快感の方が強い場合には、キャンセルを行わないでペナルティの発生を防ぐことも可能になる。
【００２５】
ここで、設備機器の管理装置の判断装置は、消費電力量の調整要求を受け入れるか否かを、受け入れ判断基準に従って自動的に判断している。そして、この受け入れ判断基準は、キャンセル受付装置がキャンセル指示を受け付けたことに応じて更新されている。したがって、受け入れ判断基準には、消費電力量の調整要求に応じることによるメリットとデメリットとをバランスすることができる需要家毎のバランス点を反映させることができる。
【００２６】
以上により、この設備機器の管理装置では、消費電力量の調整要求に応じることによるメリットとデメリットとをバランスすることができる需要家毎のバランス点を自動的に実現させることができるように、判断装置に、消費電力量の調整要求を受け入れるか否かを判断させることが可能になる。
【００２７】
第６観点に係るプログラムは、利用の際に電力を消費する設備機器の管理を消費電力量の調整要求に基づいて管理装置によって管理させるプログラムである。このプログラムは、所定期間における消費電力量の調整要求を、管理装置に受け付けさせるステップを有する。また、このプログラムは、消費電力量の調整要求を受け入れた場合に、消費電力量の調整要求を受け入れない場合と比較して消費電力量が調整されるように、管理装置に設備機器の制御を行わせるステップを有する。また、このプログラムは、消費電力量の調整要求を受け入れたことにより消費電力量を調整した制御を行っている状態で、消費電力量の調整要求の受け入れの継続状態を所定期間の途中で途絶えさせるためのキャンセル指示を管理装置に受け付けさせるステップを有する。さらに、このプログラムは、キャンセル指示を受け付けたことに応じて更新される受け入れ判断基準に従って、消費電力量の調整要求を受け入れるか否かを管理装置に自動的に判断させるステップを有する。当該管理装置は、所定期間の消費電力量の調整要求を受け入れることで消費電力量を調整したデマンドレスポンス制御を行っている途中にキャンセル指示を受け付けさせ消費電力量の調整要求のキャンセルを行った需要家に対してペナルティが付与される処理と、所定期間の消費電力量の調整要求を受け入れて消費電力量を調整したデマンドレスポンス制御を行った需要家に対してデマンドレスポンス制御を実行した期間に応じてインセンティブが付与される処理と、の少なくともいずれかの処理が行われるエネルギ管理システムの一部を構成している。
【００２８】
このプログラムが管理装置によって実行されることで、消費電力量の調整要求の指示を管理装置に受け付けた場合に、消費電力量が調整されるように管理装置に設備機器の制御を行わせることができるため、消費電力量を小さく抑える若しくは大きく増大させることで調整要求に応じることができる。
【００２９】
また、消費電力量を調整した制御が行われている状態で、管理装置がキャンセル指示を受け付けた場合に、管理装置が消費電力量の調整要求の受け入れの継続状態を途中で途絶えさせることで、消費電力量を調整した制御を中止することが可能になる。
【００３０】
このため、需要家は、消費電力量の調整要求に応じることによって設備機器の消費電力量が調整されるように制御されて、不快に感じる状況になり、キャンセルに伴うペナルティによって受ける不快感もしくはインセンティブの喪失により受ける不快感よりも、設備機器の消費電力量を調整した制御によって受ける不快感の方が強い場合には、管理装置がキャンセルを受け付けることによって、当該不快感を強く感じる側の状況を脱することができる。他方で、設備機器の消費電力量を調整した制御によって受ける不快感よりも、キャンセルに伴うペナルティによって受ける不快感もしくはインセンティブの喪失により受ける不快感の方が強い場合には、キャンセルを行わないでペナルティの発生を防ぐことも可能になる。
【００３１】
ここで、プログラムが管理装置によって実行されることで、設備機器は、消費電力量の調整要求を受け入れるか否かを、受け入れ判断基準に従って自動的に判断することができる。そして、この受け入れ判断基準は、管理装置がキャンセル指示を受け付けたことに応じて管理装置によって更新されている。したがって、受け入れ判断基準には、消費電力量の調整要求に応じることによるメリットとデメリットとをバランスすることができる需要家毎のバランス点を反映させることができる。
【００３２】
以上により、プログラムが管理装置によって実行されることで、消費電力量の調整要求に応じることによるメリットとデメリットとをバランスすることができる需要家毎のバランス点を自動的に実現させることができるように、管理装置に消費電力量の調整要求を受け入れるか否かを判断させることが可能になる。
【００３３】
第７観点に係る記録媒体は、第６観点のプログラムが一時的でなく記録されている。
【００３４】
この記録媒体では、否一時的に格納されているプログラムを管理装置に実行させることで、第６観点に係るプログラムと同様の効果を得ることができる。
【発明の効果】
【００３５】
第１観点に係る設備機器の管理装置では、消費電力量の調整要求に応じることによるメリットとデメリットとをバランスすることができる需要家毎のバランス点を自動的に実現させることができるように、判断部に、消費電力量の調整要求を受け入れるか否かを判断させることが可能になる。
【００３６】
第２観点に係る設備機器の管理装置では、受け入れ判断基準を需要家のニーズに沿った基準に近づけることができる。
【００３７】
第３観点に係る設備機器の管理装置では、受け入れ判断基準を需要家のニーズに沿った基準に近づけることができる。
【００３８】
第４観点に係る設備機器の管理装置では、消費電力量の調整要求に対するペナルティもしくはインセンティブの大きさとの関係を、受け入れ判断基準に反映させることが可能になる。
【００３９】
第５観点に係る設備機器の管理システムでは、消費電力量の調整要求に応じることによるメリットとデメリットとをバランスすることができる需要家毎のバランス点を自動的に実現させることができるように、判断装置に、消費電力量の調整要求を受け入れるか否かを判断させることが可能になる。
【００４０】
第６観点に係るプログラム、第７観点に係る記録媒体では、消費電力量の調整要求に応じることによるメリットとデメリットとをバランスすることができる需要家毎のバランス点を自動的に実現させることができるように、管理装置に消費電力量の調整要求を受け入れるか否かを判断させることが可能になる。
【図面の簡単な説明】
【００４１】
【図１】一実施形態に係る集中管理システムを備えたエネルギ管理システムのブロック概略構成図である。
【図２】アグリゲータの詳細構成を示した集中管理システムのブロック概略構成図である。
【図３】需要家が備える要素を示したブロック構成図である。
【図４】ヒートポンプのシステム構成図である。
【図５】ヒートポンプによる冷房運転の状態を示す概略図である。
【図６】ヒートポンプによる通常暖房運転の状態を示す概略図である。
【図７】ヒートポンプによる低外気時暖房運転の状態を示す概略図である。
【図８】ヒートポンプによる通常給湯運転の状態を示す概略図である。
【図９】ヒートポンプによる貯湯温度が低温である時の暖房給湯同時運転の状態を示す概略図である。
【図１０】消費電力量の調整要求に応じることでデマンドレスポンス制御を実行するか否かを定める処理の流れを示す図である。
【図１１】我慢レートの更新処理のフローチャートである。
【図１２】我慢レートの更新に関する調整マップである。
【図１３】変形例（Ａ）に係るＨＥＭＳプログラムが一時的でなく記録された記録媒体を示す図である。
【発明を実施するための形態】
【００４２】
一実施形態に係るＨＥＭＳコントローラ５を備えた集中管理システム１０が、エネルギ管理システム１００の一部を構成している場合を例に挙げて、以下、図面を参照しながら説明する。
【００４３】
（１）エネルギ管理システム
エネルギ管理システム１００は、電力会社１と、集中管理システム１０と、を備えている。
【００４４】
電力会社１は、特に限定されない発電手法によって発電を行っている。発電手法としては、例えば、太陽光発電や風力発電等の自然発電であってもよい。このような自然発電によって得られる電力は、太陽光が十分に得られる状態と雲等によって太陽光が遮られる状態との間で自然現象的に発電効率が変化したり、風の強い状態と弱い状態との間で自然現象的に発電効率が変化したりすることがあるため、安定的な電力の供給を見込みにくいものではあるが、発電に伴う二酸化炭素の排出量が低い点で好ましい。
【００４５】
なお、この電力会社１は、夏期の昼の時間帯等のように電力消費量が増大し、電力量が逼迫した状況になる場合や、一時的に発電量が増大して電力の供給が過剰になる場合において、集中管理システム１０に対して、消費電力量の調整要求の信号を送る。この消費電力量の調整要求の信号には、例えば、電力量が逼迫した状況で送られる消費電力量の抑制要求や、一時的に発電量が増大して電力の供給が過剰になった状況で送られる消費電力量の増大要求等がある。この電力会社１から送信されてくる消費電力量の調整要求の信号には、消費電力量の調整が求められる調整期間を示す情報（消費電力量の調整が求められる所定期間を示す情報）が含まれている。
【００４６】
なお、電力会社１で発電された電力は、送配電業者によって設けられた伝送線等を介して、電力の消費を行う設備まで供給されている。
【００４７】
集中管理システム１０は、通信ネットワーク２を介して、電力会社１と通信可能に接続されている。集中管理システム１０は、電力会社１からの消費電力量の調整要求の信号を受信し、管理対象とされている複数の需要家それぞれから予め受信している予定情報に基づいて、当該消費電力量の調整要求に応じる程度等を定める処理を行う。なお、通信ネットワーク２の種類は、特に限定されるものではなく、例えば、インターネット等を挙げることができる。以下、集中管理システム１０について、具体的に説明する。
【００４８】
（２）集中管理システム
集中管理システム１０は、アグリゲータ３と、複数の需要家（需要家Ａ、Ｂ、Ｃ・・・）に属する装置と、を有して構成されている。
【００４９】
図２に、アグリゲータの詳細構成を示した集中管理システム１０のブロック概略構成図を示す。
【００５０】
（２−１）アグリゲータ
アグリゲータ３は、図２に示すように、アグリゲータ通信部３１と、アグリゲータ制御部３２と、アグリゲータ記憶部３３と、アグリゲータプログラム３４と、アグリゲータ出力部３５と、を有している。
【００５１】
アグリゲータ通信部３１は、通信ネットワーク２を介して、電力会社１との間、および、各需要家に属する装置（ゲートウェイ４等）との間での通信が可能となるように接続されている。このアグリゲータ通信部３１によって、アグリゲータ３は、電力会社１から発信される消費電力量の調整要求の信号を受信する。
【００５２】
アグリゲータプログラム３４は、本実施形態においては、予め、アグリゲータ３が備えるＲＯＭ等に格納されており、アグリゲータ制御部３２によって実行される。
【００５３】
アグリゲータ記憶部３３には、料金契約情報３３ａが格納されている。この料金契約情報３３ａは、電気料金の基本料金設定契約の種類を示すデータが、需要家毎に区別されている情報である。この基本料金設定契約としては、特に限定されるものではないが、例えば、消費電力量の調整要求に応じる確率が契約の種類に応じて異なるように定められている場合には、消費電力量の調整要求に応じる確率が高いほど電気料金の単価が安くなるように、消費電力量の調整要求に応じる確率が低いほど電気料金の単価が高くなるように、定められている。なお、電気料金の単価としては、特に限定されないが、例えば、単位消費電力量当たりの電気料金とすることができる。また、アグリゲータ記憶部３３には、ＨＥＭＳコントローラ５から送信されてくる、後述する現時点の我慢レート（ＲGiveUp）、および、調整消費電力（ＰGiveUp）が、需要家毎に格納されている。
【００５４】
なお、アグリゲータ通信部３１は、スマートメータ６から得られる設備機器（電力を消費して駆動する機器）における消費電力量の計測データを、ゲートウェイ４および通信ネットワーク２を介して受信する。また、アグリゲータ通信部３１は、後述するＨＥＭＳコントローラ５から、ゲートウェイ４および通信ネットワーク２を介して、消費電力量の調整要求に応じた時間長さやキャンセルの有無を示す履歴情報を受信する。そして、アグリゲータ記憶部３３には、当該受信した消費電力量の計測データおよび履歴情報が格納される。
【００５５】
アグリゲータ制御部３２は、電力会社１から発信される消費電力量の調整要求の信号を受信した場合に、アグリゲータプログラム３４を起動させて実行し、各需要家に属する装置（ゲートウェイ４等）との間で通信を行わせて、消費電力量の調整要求に対応するための情報処理を行う。ここでは、アグリゲータ制御部３２は、電力会社１から消費電力量の調整要求の信号を受信することで、アグリゲータプログラム３４による処理を開始し、電力会社１から受信した消費電力量の調整が求められる調整期間を示す情報に、当該調整期間の間消費電力を調整した場合に付与されるインセンティブの情報を追加する。ここで、アグリゲータ制御部３２は、アグリゲータ記憶部３３に記憶されている料金契約情報３３ａに基づいて、消費電力量の調整要求に応じると予想される需要家の数を特定し、当該特定された需要家の数に応じてインセンティブの大きさを決定する処理を行う。ここで、消費電力量の調整要求に応じると予想される需要家の数は、各需要家の契約の種類毎に定められている、消費電力量の調整要求に応じる確率と、アグリゲータ記憶部３３において需要家毎に記憶されている現時点の我慢レート（ＲGiveUp）および調整消費電力（ＰGiveUp）に基づいて特定することができる。ここで、アグリゲータ制御部３２は、消費電力量の調整要求に応じると予想される需要家の数が多いほどインセンティブの大きさが小さくなるように、消費電力量の調整要求に応じると予想される需要家の数が少ないほどインセンティブの大きさが大きくなるように、インセンティブを定める。アグリゲータ制御部３２は、このようにして定められたインセンティブの情報と、消費電力量の調整が求められる調整期間を示す情報と、を通信ネットワーク２やゲートウェイ４を介して各需要家に送信する。
【００５６】
さらに、アグリゲータ制御部３２は、アグリゲータ記憶部３３に格納されている消費電力量の計測データおよび履歴情報に基づいて、需要家毎の電気料金を算出する。具体的には、アグリゲータ制御部３２は、需要家毎の基本料金設定契約の種類に応じて、消費電力量の単価を特定し、所定期間毎（例えば、１ヶ月）に当該需要家が消費した消費電力の合計値をスマートメータ６の計測値として把握し、消費電力の合計値に単価を乗じた値を求める。そして、アグリゲータ制御部３２は、履歴情報に基づいてデマンドレスポンス制御が行われた時間を特定し、インセンティブの値に調整期間のうちデマンドレスポンス制御を実行した期間の割合を乗じて得られる値を、デマンドレスポンス制御毎に算出し、これらの合計値を当該所定期間（当該１ヶ月）のインセンティブの合計値として算出する。そして、アグリゲータ制御部３２は、当該消費電力の合計値に単価を乗じた値から、インセンティブの合計値を差し引いて、当該所定期間（当該１ヶ月）の電気料金を算出する。
【００５７】
アグリゲータ出力部３５は、アグリゲータ制御部３２が算出した電気料金を、アグリゲータ通信部３１によって送信し、通信ネットワーク２およびゲートウェイ４を介してＨＥＭＳコントローラ５まで届ける。アグリゲータ出力部３５における出力態様は、特に限定されるものではなく、例えば、表示画面に各種情報を出力表示させる出力態様であってもよいし、紙媒体に情報を印字させる出力態様であってもよい。
【００５８】
（２−２）各需要家（需要家Ａ、Ｂ、Ｃ・・・）
図３に、需要家が備える要素を示したブロック構成図を示す。
【００５９】
なお、実施形態の説明では、「需要家」の文言は、需要家に属している通信装置や情報処理装置を含めた概念として用いている場合がある。
【００６０】
複数の需要家（需要家Ａ、Ｂ、Ｃ・・・）は、いずれも、通信ネットワーク２を介して、アグリゲータ３と通信可能に接続されている。
【００６１】
各需要家が備えている通信装置や情報処理装置は、同様であるため、複数の需要家Ａ、Ｂ、Ｃ・・・のうち、ここでは、需要家Ａに属する装置を例に挙げて説明する。
【００６２】
図１および図３に示すように、需要家Ａには、ゲートウェイ４、ＨＥＭＳコントローラ５、スマートメータ６、ヒートポンプ７、および、電化製品８等が属している。
【００６３】
（２−２−１）ゲートウェイ
ゲートウェイ４は、ゲートウェイ通信部４１と、変換部４２と、を有している。ゲートウェイ通信部４１は、通信ネットワーク２を介して、アグリゲータ３のアグリゲータ通信部３１と通信可能となるように接続されている。また、ゲートウェイ通信部４１は、ＨＥＭＳコントローラ５との間で情報の送受信が可能となるように、スマートメータ６の計測値を受信できるように、それぞれ接続されている。変換部４２は、通信ネットワーク２を介してゲートウェイ通信部４１が受信した情報を、ＨＥＭＳコントローラ５によって処理可能な形式の情報に変換する。また、変換部４２は、ＨＥＭＳコントローラ５からゲートウェイ通信部４１が受信した情報を、通信ネットワーク２を介して送信可能な情報もしくはアグリゲータ通信部３１と通信可能な形式の情報に変換する。
【００６４】
なお、ゲートウェイ４は、電力消費機器における消費電力の計測データ（例えば、当該月の消費電力の合計値）をスマートメータ６から受信し、通信ネットワーク２を介して、アグリゲータ３に送信する。
【００６５】
なお、ゲートウェイ通信部４１は、電力会社１からの消費電力量の調整要求を、アグリゲータ３を介して受信する。すなわち、ゲートウェイ通信部４１は、消費電力量の調整が求められる調整期間を示す情報、および、当該調整期間の間消費電力を調整した場合に付与されるインセンティブの情報が含まれた消費電力量の調整要求の信号を受信する。
【００６６】
（２−２−２）スマートメータ
スマートメータ６は、後述する、各電力消費機器における消費電力量を計測し、得られたデータ（例えば、当該月の合計消費電力量）をゲートウェイ４に送信する。
【００６７】
（２−２−３）ＨＥＭＳコントローラ
ＨＥＭＳコントローラ５は、上位のアグリゲータ３等から送信されてきた情報や各機器のセンサ情報等に基づいて、各設備機器に対して制御に関する指令を送る、Home Energy Management Systemのコントローラである。ＨＥＭＳコントローラ５は、ＨＥＭＳ通信部５１と、ＨＥＭＳ制御部５２と、ＨＥＭＳ記憶部５３と、ＨＥＭＳプログラム５４、ＨＥＭＳ入力部５５、ＨＥＭＳ出力部５６等を有している。
【００６８】
ＨＥＭＳ通信部５１は、ゲートウェイ４と通信可能に接続されている。また、ＨＥＭＳ通信部５１は、電化製品８やヒートポンプ７等の設備機器との間で通信可能に接続されている。このＨＥＭＳ通信部５１は、ゲートウェイ４から、消費電力量の調整が求められる調整期間を示す情報、および、当該調整期間の間消費電力を調整した場合に付与されるインセンティブの情報が含まれた消費電力量の調整要求の信号を受信する。
【００６９】
ＨＥＭＳ入力部５５では、消費電力量の調整要求に応じることで消費電力量を調整するデマンドレスポンス制御が実行されている状態で、当該調整期間が経過する前に需要家Ａがデマンドレスポンス制御の中止を希望した場合に、当該中止を示すキャンセルを受け付ける。
【００７０】
ＨＥＭＳ記憶部５３は、需要家Ａが契約している基本料金設定契約の情報である契約情報５３ａが格納されている。この契約情報には、消費電力量の調整要求があった場合に、需要家Ａが当該消費電力量の調整要求を受け入れてデマンドレスポンス制御を行う確率が定められている。このＨＥＭＳ記憶部５３には、消費電力量の調整要求を受け入れてデマンドレスポンス制御を実行するか否かを判断する基準である、受け入れ判断基準５３ｂの情報が格納されている。この受け入れ判断基準５３ｂの情報には、後述する我慢レートの情報が含まれている。この受け入れ判断基準５３ｂは、具体的には、以下の数１によって求められるαの値（判断基準値）がマイナスになった場合にデマンドレスポンス制御を実行させ、プラスになった場合にデマンドレスポンス制御を実行させないように判断するための基準である。
【００７１】
【数１】
2014120030.tif 000003
αは、判断基準値である。
【００７２】
ＲGiveUpは、我慢レート（判断係数）（円／ｋＷ）であり、後述する我慢レートの更新処理によって更新される値であり、当初は予め定めた初期値となっている。
【００７３】
ＰGiveUpは、ヒートポンプ７や電化製品８の制御について、通常制御からデマンドレスポンス制御に変更することで調整される調整消費電力（ｋＷ）である。
【００７４】
Ｒincentiveは、消費電力量の調整要求の信号に含まれている情報であり、調整期間の間消費電力を調整した場合に付与されるインセンティブの情報（インセンティブ単価（円／回））である。
【００７５】
当該我慢レートは、ＨＥＭＳ制御部５２の判断部５２ｂが行う我慢レートの更新処理によって、随時更新される。
【００７６】
また、ＨＥＭＳ記憶部５３には、図１２に示すように、我慢レートの更新処理の際に、現在の我慢レートを修正するために用いる加減マップが格納されている。この加減マップには、デマンドレスポンス制御が調整期間の全期間の間行われて完遂されることで我慢レートを減じるように更新する際に、現状の我慢レート毎に対応した減算値が格納されている。また、加減マップには、デマンドレスポンス制御が調整期間の途中でキャンセルされたることで我慢レートを増加させるように更新する際に、現状の我慢レート毎に対応した加算値が格納されている。
【００７７】
ＨＥＭＳ制御部５２は、ＨＥＭＳプログラム５４を読み出して実行し、消費電力量の調整要求に応じることでデマンドレスポンス制御を実行するか否かを定める処理を行う調整制御部５２ａと、我慢レートの更新処理（我慢レートについては後述する。）を行う判断部５２ｂと、を有している。
【００７８】
消費電力量の調整要求に応じることでデマンドレスポンス制御を実行するか否かを定める処理は、詳細は後述するが、ＨＥＭＳ通信部５１が消費電力量の調整要求の信号を受信した場合に、ＨＥＭＳ制御部５２の調整制御部５２ａが、ＨＥＭＳプログラム５４を読み出して実行することによって行われる。なお、調整制御部５２ａは、消費電力量の調整要求に応じることでデマンドレスポンス制御を実行するか否かを定める処理を行って、消費電力量の調整要求に応じることでデマンドレスポンス制御を実行する旨の判断をした場合には、ヒートポンプコントローラ７ｓや電化製品コントローラ８ｓに対して、デマンドレスポンス制御を行うように指示を送る。なお、デマンドレスポンス制御は、電力量が逼迫した状況で送られる消費電力量の抑制要求に応じるための電力抑制制御や、一時的に発電量が増大して電力の供給が過剰になった状況で送られる消費電力量の増大要求に応じるための電力増大制御等がある。また、他方で、調整制御部５２ａは、消費電力量の調整要求に応じない旨の判断をした場合には、ヒートポンプコントローラ７ｓや電化製品コントローラ８ｓに対して、通常制御を行うように指示を送る。
【００７９】
通常制御は、特に限定されないが、需要家Ａの希望している、予め定められた設定条件データをできるだけ迅速に実現できるような電化製品８やヒートポンプ７の制御が含まれる。このような設定条件データとしては，例えば、冷蔵庫等の電化製品８であれば電化製品コントローラ８ｓに保持されている庫内の目標温度が上げられ、ヒートポンプ７であればヒートポンプコントローラ７ａに保持されている室内設定温度や給湯温度等が挙げられる。
【００８０】
デマンドレスポンス制御のうちの電力抑制制御は、特に限定されないが、通常制御を行う場合よりも消費電力量（ｋＷｈ）が小さくなるように予め定められた制御方法であって、需要家Ａの希望する設定条件データを参照しながら行われる電化製品８やヒートポンプ７等の制御である。この電力抑制制御としては、特に限定されないが、例えば、ヒートポンプ７の制御を行う場合には、設定条件データ等として設定されている室内設定温度や給湯温度を実現するまでに要する時間が長めになるように各構成機器の出力を下げることや、一部の構成機器の稼動を停止させる制御等が含まれる。なお、デマンドレスポンス制御のうちの電力抑制制御が行われることで、例えば、室内設定温度が上げられ、ユーザが暑くて不快であると感じた結果、ＨＥＭＳ入力部５５を介して、当該ユーザから、デマンドレスポンス制御のキャンセルが受け付けられる場合がある。
【００８１】
デマンドレスポンス制御のうちの電力増大制御は、特に限定されないが、通常制御を行う場合よりも消費電力量（ｋＷｈ）が大きくなるように予め定められた制御方法であって、需要家Ａの希望する設定条件データを参照しながら行われる電化製品８やヒートポンプ７等の制御である。この電力増大制御としては、特に限定されないが、例えば、ヒートポンプ７の制御を行う場合には、設定条件データ等として設定されている室内設定温度や給湯温度を実現するまでに要する時間が短めになるように各構成機器の出力を上げることや、一部の停止している構成機器の稼動を開始させる制御等が含まれる。なお、デマンドレスポンス制御のうちの電力増大制御が行われることで、例えば、室内設定温度が下げられ、ユーザが冷えすぎて不快であると感じた結果、ＨＥＭＳ入力部５５を介して、当該ユーザから、デマンドレスポンス制御のキャンセルが受け付けられる場合がある。
【００８２】
我慢レートの更新処理は、詳細は後述するが、デマンドレスポンス制御が実行されている段階であって、調整期間が経過する途中の段階で、ＨＥＭＳ入力部５５を介して需要家Ａからデマンドレスポンス制御の中止を示すキャンセルを受け付けた場合に、ＨＥＭＳ制御部５２の判断部５２ｂが、ＨＥＭＳプログラム５４を読み出して実行することによって行われる。なお、判断部５２ｂは、当該キャンセルが生じた場合には、ヒートポンプコントローラ７ａや電化製品コントローラ８ｓに対してデマンドレスポンス制御を中止させる信号を送信する。また、判断部５２ｂは、キャンセルが生じたことをＨＥＭＳ記憶部５３に格納し、アグリゲータ３に送信する。さらに、判断部５２ｂは、我慢レートの更新処理を行うことで我慢レートの更新を行い、更新された我慢レートをＨＥＭＳ記憶部５３に格納する。
【００８３】
また、ＨＥＭＳ制御部５２は、ＨＥＭＳ記憶部５３に格納されている受け入れ判断基準５３ｂの情報を、定期的にアグリゲータ３に送信する。具体的には、受け入れ判断基準５３ｂの情報として、現時点の我慢レート（ＲGiveUp）、および、調整消費電力（ＰGiveUp）を送信する。
【００８４】
また、ＨＥＭＳ制御部５２は、アグリゲータ３から送信されて来た電気料金を、ＨＥＭＳ出力部５６に表示出力する。このＨＥＭＳ出力部５６は、液晶表示部によって構成されている。
【００８５】
（２−２−４）電化製品
電化製品８は、電化製品８の制御を行う電化製品コントローラ８ｓを有している。電化製品コントローラ８ｓは、ＨＥＭＳコントローラ５と接続されており、ＨＥＭＳコントローラ５からの指令に基づいて、通常制御とデマンドレスポンス制御のいずれかを実行して電化製品８の制御を行う。
【００８６】
ここでの電化製品８は、ヒートポンプ７以外の電力を消費して駆動するものを意味しており、冷蔵庫、照明器具等が含まれる。
【００８７】
（２−２−５）ヒートポンプ
ヒートポンプ７は、ヒートポンプ７の制御を行うヒートポンプコントローラ７ｓを有している。ヒートポンプコントローラ７ｓは、ＨＥＭＳコントローラ５と接続されている。
【００８８】
また、ヒートポンプコントローラ７ｓは、後述する圧縮機２１、四路切換弁２２、室外ファン２４、膨張弁２５、水回路補助ヒータ７１、水回路ポンプ７２、室内ファン７４、床暖房流量調節弁７５、給湯流量調節弁７７、給湯補助ヒータ７９、給湯用ポンプ８４、混合弁８６を制御可能となるように接続されており、センサ８９の検出値を取得できるように接続されている。
【００８９】
また、図示しないが、ヒートポンプコントローラ７ｓは、ヒートポンプ設定受付部を有している。需要家は、このヒートポンプ設定受付部を介して、設定温度や床暖房の温度や給湯温度等の設定条件を入力することができる。
【００９０】
さらに、ヒートポンプコントローラ７ｓは、図示しないヒートポンプ記憶部を有している。このヒートポンプ記憶部には、ヒートポンプ設定受付部を介して入力を受け付けたデータが、設定条件データとして格納されている。
【００９１】
ヒートポンプコントローラ７ｓは、上述のようにヒートポンプ記憶部に格納されている設定条件データと、センサ８９を介して取得されるデータと、ＨＥＭＳコントローラ５からの通常制御の指令もしくはデマンドレスポンス制御の指令と、デマンドレスポンス制御を中止させる信号と、の４つの情報に基づいて、ヒートポンプ７の制御を行う。
【００９２】
以下、ヒートポンプ７の具体的な構成を説明する。
【００９３】
（３）ヒートポンプの構成
図４に、ヒートポンプのシステム構成図を示す。
【００９４】
ヒートポンプ７は、ヒートポンプ部７ａと、水循環部７ｂと、室内空調部７ｃと、床暖房部７ｄと、給湯部７ｅ等を有して構成されている。
【００９５】
ヒートポンプ部７ａは、水循環部７ｂに設けられている水熱交換器２６を流れる水を加熱もしくは冷却するための装置であり、圧縮機２１、四路切換弁２２、室外熱交換器２３、室外ファン２４、膨張弁２５を有している。これらの、圧縮機２１、四路切換弁２２、室外熱交換器２３、室外ファン２４、および、膨張弁２５と、水循環部７ｂに設けられている水熱交換器２６と、は、互いに冷媒配管で接続されることによって、内部を冷媒が循環する冷媒回路２０を構成している。
【００９６】
冷媒回路２０は、四路切換弁２２の接続状態を切り換えることによって、冷房運転接続状態と、暖房運転接続状態と、に切り換えられる。冷房運転接続状態では、室外熱交換器２３が冷媒の放熱器として機能し、水熱交換器２６が冷媒の蒸発器として機能するように、四路切換弁２２の接続状態が切り換えられる。暖房運転接続状態では、室外熱交換器２３が冷媒の蒸発器として機能し、水熱交換器２６が冷媒の放熱器として機能するように、四路切換弁２２の接続状態が切り換えられる。
【００９７】
水熱交換器２６では、冷媒回路２０内を循環する冷媒と、水回路７０内を循環する水との間で、互いに混ざり合うことなく熱交換が行われている。
【００９８】
水循環部７ｂは、上記水熱交換器２６と、水回路補助ヒータ７１と、水回路ポンプ７２と、がこの順に並んで直列に接続されている。水回路補助ヒータ７１は、水熱交換器２６の下流側に配置されており、駆動される場合には、内部を通過する水を加熱する。水回路ポンプ７２は、水回路補助ヒータ７１の下流側に配置されており、水回路７０内において水を循環させるように水の搬送を行う。なお、水回路ポンプ７２は、流量を調節することが可能な構成となっている。
【００９９】
室内空調部７ｃと、床暖房部７ｄと、給湯部７ｅは、水回路７０のうち、水熱交換器２６の上流側と水回路ポンプ７２の下流側との間で互いに並列に接続するように設けられている。
【０１００】
室内空調部７ｃは、水回路７０のうち水熱交換器２６の上流側と水回路ポンプ７２の下流側との間を接続する空調回路７０ｃと、空調回路７０ｃの途中に設けられた室内熱交換器７３と、室内ファン７４と、を有している。室内熱交換器７３は、室内ファン７４からの空気流れを受けることで、ヒートポンプ部７ａが上記冷房運転接続状態の場合には冷風を室内に供給し、ヒートポンプ部７ａが上記暖房運転接続状態の場合には温風を室内に供給する。なお、空調回路７０ｃを流れる水の流量は、水回路ポンプ７２の出力と、床暖房流量調節弁７５の弁開度と、給湯流量調節弁７７の弁開度と、を制御することによって調節される。
【０１０１】
床暖房部７ｄは、水回路７０のうち水熱交換器２６の上流側と水回路ポンプ７２の下流側との間を空調回路７０ｃとは独立して接続する床暖房回路７０ｄと、床暖房回路７０ｄに設けられた床暖房流量調節弁７５と、床暖房流量調節弁７５よりも下流側に設けられた床暖房熱交換器７６と、を有している。床暖房流量調節弁７５は、弁開度が制御されることで、床暖房回路７０ｄを流れる水の流量の調節を行う。床暖房熱交換器７６は、床暖房回路７０ｄの一部であって、対象空間の床裏に配置された部分である。床暖房熱交換器７６に温水が流れることで、当該対象空間の床を暖めることができる。
【０１０２】
給湯部７ｅは、水回路７０のうち水熱交換器２６の上流側と水回路ポンプ７２の下流側との間を空調回路７０ｃとは独立し、床暖房回路７０ｄとも独立して接続する給湯回路７０ｅと、給湯回路７０ｅに設けられた給湯流量調節弁７７と、給湯流量調節弁７７よりも下流側に設けられた給湯熱交換器７８と、を有している。給湯流量調節弁７７は、弁開度が制御されることで、給湯回路７０ｅを流れる水の流量の調節を行う。給湯熱交換器７８は、給湯回路７０ｅの一部であって、後述する貯湯タンク８２の内部空間の下方の位置を通過するように配置された部分である。給湯熱交換器７８に温水が流れることで、貯湯タンク８２の内部下方の比較的温度が低い水を温めることができる。なお、給湯熱交換器７８の内部を流れる水と、貯湯タンク８２の内部の水とは、互いに直接接触することなく、熱交換のみが行われている。
【０１０３】
ここで、貯湯タンク８２は、給湯回路８０に設けられている。給湯回路８０は、市水が貯湯タンク８２の下端に流れ込むように構成された入水管８１と、入水管８１から分岐した連絡管８５と、貯湯タンク８２の上端からお湯を出湯するように伸びだしている出湯管８３と、出湯管８３の途中に貯湯タンク８２からお湯を出湯するように設けられた給湯用ポンプ８４と、連絡管８５を流れる温度の低い水と出湯管８３を流れる温度の高い湯とを混合する混合弁８６と、を有している。
【０１０４】
なお、貯湯タンク８２の内部の上方には、給湯補助ヒータ７９が配置されている。この給湯補助ヒータ７９は、必要に応じて駆動され、貯湯タンク８２の上方に位置する水を加熱する。
【０１０５】
図３に示すセンサ８９は、室外温度を検知するセンサ、室内温度を検知するセンサ、給湯温度を検知するセンサ等の制御に用いられる各種センサをまとめて示している。
【０１０６】
（４）ヒートポンプの動作
ヒートポンプ７の各種動作について、図５、図６、図７、図８、図９を参照しながら説明する。
【０１０７】
ヒートポンプ７は、各種設定条件や温度条件に応じて、冷房運転、暖房運転、低外気時暖房運転、給湯運転、および、暖房給湯同時運転等が行われる。
【０１０８】
なお、これらの各運転それぞれについて、通常制御とデマンドレスポンス制御が行われる。すなわち、冷房通常制御、冷房デマンドレスポンス制御、暖房通常制御、暖房デマンドレスポンス制御、低外気時暖房通常制御、低外気時暖房デマンドレスポンス制御、給湯通常制御、給湯デマンドレスポンス制御、暖房給湯同時通常制御、および、暖房給湯同時デマンドレスポンス制御のいずれかが行われる。
【０１０９】
（４−１）冷房運転
図５に、ヒートポンプ７による冷房運転の状態の概略図を示す。
【０１１０】
冷房運転時には、室外熱交換器２３が冷媒の放熱器として機能し、水熱交換器２６が冷媒の蒸発器として機能するように、ヒートポンプコントローラ７ｓが、四路切換弁２２の接続状態を冷房運転接続状態に切り換える。
【０１１１】
また、ヒートポンプコントローラ７ｓは、水回路補助ヒータ７１および給湯補助ヒータ７９をいずれも停止させ、床暖房流量調節弁７５および給湯流量調節弁７７の両方を全閉状態として、圧縮機２１、膨張弁２５、室外ファン２４、水回路ポンプ７２および室内ファン７４を制御する。これにより、室内に冷風を供給することができる。
【０１１２】
なお、冷房デマンドレスポンス制御は、予め定められた制御であって、冷房通常制御の設定条件の温度と比べて室内設定温度を高めに変更する（例えば、室内設定温度を１℃上げる）等してヒートポンプコントローラ７ｓがヒートポンプ７について行う制御である。これによって、単位時間当たりの消費電力量の低減化が図られる。
【０１１３】
（４−２）暖房運転
図６に、ヒートポンプ７による暖房運転の状態の概略図を示す。
【０１１４】
暖房運転時には、室外熱交換器２３が冷媒の蒸発器として機能し、水熱交換器２６が冷媒の放熱器として機能するように、ヒートポンプコントローラ７ｓが、四路切換弁２２の接続状態を暖房運転接続状態に切り換える。
【０１１５】
また、ヒートポンプコントローラ７ｓは、水回路補助ヒータ７１および給湯補助ヒータ７９をいずれも停止させ、給湯流量調節弁７７を全閉状態とし、圧縮機２１、膨張弁２５、室外ファン２４、水回路ポンプ７２、室内ファン７４、および、床暖房流量調節弁７５を制御する。これにより、室内に温風を供給しつつ、床暖房によって床を暖めることができる。
【０１１６】
なお、暖房デマンドレスポンス制御は、予め定められた制御であって、暖房通常制御の設定条件の温度と比べて室内設定温度を低めに変更する（例えば、室内設定温度を１℃下げる）等してヒートポンプコントローラ７ｓがヒートポンプ７について行う制御である。これによって、単位時間当たりの消費電力量の低減化が図られる。
【０１１７】
（４−３）低外気時暖房運転
図７に、ヒートポンプ７による低外気時暖房運転の状態の概略図を示す。
【０１１８】
室外温度センサ８９ａ（センサ８９の１つ）から取得される室外温度が所定の室外温度よりも低い場合には、ヒートポンプコントローラ７ｓは、低外気時暖房運転を行う。
【０１１９】
低外気時暖房運転時には、室外熱交換器２３が冷媒の蒸発器として機能し、水熱交換器２６が冷媒の放熱器として機能するように、ヒートポンプコントローラ７ｓが、四路切換弁２２の接続状態を暖房運転接続状態に切り換える。
【０１２０】
また、ヒートポンプコントローラ７ｓは、給湯補助ヒータ７９を停止させ、給湯流量調節弁７７を全閉状態とし、圧縮機２１、膨張弁２５、室外ファン２４、水回路ポンプ７２、室内ファン７４、床暖房流量調節弁７５、および、水回路補助ヒータ７１を制御する。これにより、室外気温が所定の温度よりも低い温度になった状況であっても、室内に温風を供給しつつ、床暖房によって床を暖めることができる。
【０１２１】
なお、低外気時暖房デマンドレスポンス制御は、予め定められた制御であって、低外気時暖房通常制御の設定条件の温度と比べて室内設定温度を低めに変更する（例えば、室内設定温度を１℃下げる）等してヒートポンプコントローラ７ｓがヒートポンプ７について行う制御である。これによって、単位時間当たりの消費電力量の低減化が図られる。
【０１２２】
（４−４）給湯運転
図８に、ヒートポンプ７による給湯運転の状態の概略図を示す。
【０１２３】
ヒートポンプコントローラ７ｓは、所定の時間帯等の給湯条件を満たした場合に、給湯運転を行う。
【０１２４】
給湯運転時には、室外熱交換器２３が冷媒の蒸発器として機能し、水熱交換器２６が冷媒の放熱器として機能するように、ヒートポンプコントローラ７ｓが、四路切換弁２２の接続状態を暖房運転接続状態に切り換える。
【０１２５】
また、ヒートポンプコントローラ７ｓは、水回路補助ヒータ７１を停止させ、床暖房流量調節弁７５を全閉状態とし、給湯流量調節弁７７を全開状態とし、圧縮機２１、膨張弁２５、室外ファン２４、水回路ポンプ７２、室内ファン７４、および、給湯補助ヒータ７９を制御する。これにより、貯湯タンク８２の下方についてはヒートポンプ７の熱で水を温め、貯湯タンク８２の上方については給湯補助ヒータ７９でお湯を生じさせることができる。
【０１２６】
なお、給湯デマンドレスポンス制御は、予め定められた制御であって、給湯通常制御で沸き上げを行う目標の給湯温度と比べて給湯温度を低めに変更する（例えば、給湯温度を５℃下げる）等してヒートポンプコントローラ７ｓがヒートポンプ７について行う制御である。これによって、単位時間当たりの消費電力量の低減化が図られる。
【０１２７】
（４−５）暖房給湯同時運転
図９に、ヒートポンプ７による暖房給湯同時運転の状態の概略図を示す。
【０１２８】
貯湯温度センサ８９ｂ（センサ８９の１つ）から取得される温度が所定の貯湯温度よりも低い場合には、ヒートポンプコントローラ７ｓは、暖房給湯同時運転を行う。
【０１２９】
暖房給湯同時運転時には、室外熱交換器２３が冷媒の蒸発器として機能し、水熱交換器２６が冷媒の放熱器として機能するように、ヒートポンプコントローラ７ｓが、四路切換弁２２の接続状態を暖房運転接続状態に切り換える。
【０１３０】
また、ヒートポンプコントローラ７ｓは、水回路補助ヒータ７１を停止させ、圧縮機２１、膨張弁２５、室外ファン２４、水回路ポンプ７２、床暖房流量調節弁７５、給湯流量調節弁７７、室内ファン７４、および、給湯補助ヒータ７９を制御する。これにより、貯湯タンク８２の下方についてはヒートポンプ７の熱で水を温めることができ、貯湯タンク８２の上方については給湯補助ヒータ７９でお湯を生じさせることができると同時に、室内を暖めることができる。
【０１３１】
なお、暖房給湯同時デマンドレスポンス制御は、予め定められた制御であって、給湯通常制御で沸き上げを行う目標の給湯温度と比べて給湯温度を低めに変更（例えば、給湯温度を５℃下げる）しつつ、暖房通常制御の設定条件の温度と比べて室内設定温度を低めに変更する（例えば、室内設定温度を１℃下げる）等してヒートポンプコントローラ７ｓがヒートポンプ７について行う制御である。これによって、単位時間当たりの消費電力量の低減化が図られる。
【０１３２】
（５）消費電力量の調整要求に応じることでデマンドレスポンス制御を実行するか否かを定める処理のフローチャート
ＨＥＭＳ制御部５２の調整制御部５２ａが行う、消費電力量の調整要求に応じることでデマンドレスポンス制御を実行するか否かを定める処理の流れについて、図１０に示す。
【０１３３】
ステップＳ１１では、調整制御部５２ａは、ＨＥＭＳ通信部５１が消費電力量の調整要求の信号を受信したか否かを判断する。受信していた場合には、調整制御部５２ａは、ＨＥＭＳプログラム５４を読み出して実行開始し、ステップＳ１２に移行する。
【０１３４】
ステップＳ１２では、調整制御部５２は、ＨＥＭＳ記憶部５３に記憶されている確率（消費電力量の調整要求があった場合に、当該要求を受け入れてデマンドレスポンス制御を行う、予め定められた確率）にしたがって、ステップＳ１１で受信した消費電力量の調整要求を受け入れるか否かを判断する処理を行う。ここで、当該確率にしたがった判断処理によって、当該要求を受け入れてデマンドレスポンス制御を行う旨の判断をした場合には、ステップＳ１９に移行する。当該要求を受け入れずにデマンドレスポンス制御を行わない旨の判断をした場合には、ステップＳ１３に移行する。
【０１３５】
ステップＳ１３では、調整制御部５２ａは、受信した消費電力量の調整要求の調整期間、および、当該調整期間の全期間のデマンドレスポンス制御を行った場合に付与されるインセンティブ単価（Ｒincentive）を把握する。
【０１３６】
ステップＳ１４では、調整制御部５２ａは、ＨＥＭＳ記憶部５３に当該時点で格納されている我慢レート（ＲGiveUp）、および、調整消費電力（ＰGiveUp）をそれぞれ読み出して把握する。調整消費電力（ＰGiveUp）は、現在行われている通常制御からデマンドレスポンス制御に切り換えられた場合に調整することができる消費電力（ｋＷ）である。
【０１３７】
ステップＳ１５では、調整制御部５２ａは、ＨＥＭＳ記憶部５３に格納されている受け入れ判断基準５３ｂの数式を読み出し、ステップＳ１２、ステップＳ１３で把握した各値を数１の式に代入して、判断基準値αを求める。
【０１３８】
ステップＳ１６では、調整制御部５２ａは、判断基準値αが０未満（負の値）になっているか否か判断する。判断基準値αが負の値になった場合には、ステップＳ１９に移行する。他方、判断基準値αが正の値になった場合には、ステップＳ１７に移行する。
【０１３９】
ステップＳ１７では、調整制御部５２ａは、判断基準値αが正の値になった場合もしくはデマンドレスポンス制御のキャンセルを受け付けた場合であるため、消費電力量の調整要求に応じないと判断して、ヒートポンプコントローラ７ｓや電化製品コントローラ８ｓに対して、通常制御を行うように指示を送る。
【０１４０】
ステップＳ１８では、調整制御部５２ａは、調整期間が経過したか否かを判断し、経過していた場合には、ステップＳ２２に移行する。
【０１４１】
ステップＳ１９では、調整制御部５２ａは、判断基準値αが負の値になった場合であるため、消費電力量の調整要求に応じると判断して、ヒートポンプコントローラ７ｓや電化製品コントローラ８ｓに対して、デマンドレスポンス制御を行うように指示を送る。具体的には、ステップＳ１１で受信した消費電力量の調整要求の信号が、消費電力量の抑制要求である場合には、電力抑制制御を行うように指示を送り、消費電力量の増大要求である場合には、電力増大制御を行うように指示を送る。
【０１４２】
ステップＳ２０では、調整制御部５２ａは、デマンドレスポンス制御が行われている調整期間の途中に、ＨＥＭＳ入力部５５を介してデマンドレスポンス制御の中止の指示を需要家から受け付けたか否か（キャンセルを受け付けたか否か）を判断する。キャンセルを受け付けた場合には、ステップＳ１７に移行する。キャンセルを受け付けていない場合には、ステップＳ２１に移行する。
【０１４３】
ステップＳ２１では、調整制御部５２ａは、調整期間が経過したか否かを判断し、経過していた場合には、ステップＳ２２に移行する。
【０１４４】
ステップＳ２２では、調整制御部５２ａは、ヒートポンプコントローラ７ｓや電化製品コントローラ８ｓに対して、通常制御を行うように指示を送る。すなわち、調整制御部５２ａは、通常制御が行われている場合には、当該通常制御を継続するようにヒートポンプコントローラ７ｓや電化製品コントローラ８ｓに対して指示を送り、デマンドレスポンス制御が行われている場合には、通常制御に切り換えるようにヒートポンプコントローラ７ｓや電化製品コントローラ８ｓに対して指示を送る。さらに、調整制御部５２ａは、調整期間のうちでデマンドレスポンス制御を行った時間をＨＥＭＳ記憶部５３に記録し、キャンセルを受け付けていた場合には、当該キャンセルの有無をＨＥＭＳ記憶部５３に記録する。さらに、調整制御部５２ａは、我慢レートの更新処理を行う（詳細は後述する。）。以上の処理を行ってステップＳ１１に戻り、処理を繰り返す。
【０１４５】
（６）我慢レートの更新処理のフローチャート
ＨＥＭＳ制御部５２の判断部５２ｂが行う、我慢レートの更新処理の流れについて、図１１に示す。
【０１４６】
ステップＳ３１では、判断部５２ｂは、消費電力量の調整要求を受け入れてデマンドレスポンス制御を行った履歴があるか否かをＨＥＭＳ記憶部５３の記録に基づいて判断する。
【０１４７】
ステップＳ３２では、判断部５２ｂは、ＨＥＭＳ記憶部５３に格納されている、現在の我慢レートを把握する。
【０１４８】
ステップＳ３３では、判断部５２ｂは、デマンドレスポンス制御が行われている調整期間の途中に、ＨＥＭＳ入力部５５を介してデマンドレスポンス制御の中止の指示を需要家から受け付けたか否か（キャンセルを受け付けたか否か）を判断する。キャンセルを受け付けた場合には、ステップＳ３４に移行する。キャンセルを受け付けていない場合には、ステップＳ３６に移行する。
【０１４９】
ステップＳ３４では、判断部５２ｂは、ステップＳ３２で把握した現在の我慢レートに対応する加算値を、図１２に示す加減マップに基づいて把握する。
【０１５０】
ステップＳ３５では、判断部５２ｂは、ステップＳ３４で把握した加算値に応じた分だけ、現在の我慢レートを増大させることで我慢レートを更新させ、消費電力量の調整要求を受け入れにくくさせ、ステップＳ３８に移行する。
【０１５１】
ステップＳ３６では、判断部５２ｂは、ステップＳ３２で把握した現在の我慢レートに対応する減算値を、図１２に示す加減マップに基づいて把握する。
【０１５２】
ステップＳ３７では、判断部５２ｂは、ステップＳ３６で把握した減算値に応じた分だけ、現在の我慢レートを減少させることで我慢レートを更新させ、消費電力量の調整要求を受け入れやすくさせ、ステップＳ３８に移行する。
【０１５３】
ステップＳ３８では、判断部５２ｂは、ＨＥＭＳ記憶部５３に記録されている我慢レートを上書きする。なお、上記ステップＳ３７において、我慢レートの値が負の値になった場合には、０となるように修正し、ＨＥＭＳ記憶部５３の我慢レートを０に上書きする。以上の処理を行って、ステップＳ３１に戻って、処理を繰り返す。
【０１５４】
（７）本実施形態の特徴
上記実施形態に係るＨＥＭＳコントローラ５は、我慢レートの更新処理が行われ、需要家からキャンセルを受け付ける度に我慢レートを増大させ、デマンドレスポンス制御を完遂させるたびに我慢レートを減少させている。
【０１５５】
これにより、消費電力量の調整要求に応じた場合に付与されるインセンティブを諦めることと、ヒートポンプ７や電化製品８における消費電力量を調整して快適性を犠牲にすることと、がバランスすることになる判断基準値αが、当該需要家の望む基準値に近づいていくことになる。
【０１５６】
これにより、電力会社１からの消費電力量の調整要求があった場合に、需要家は、受け入れるか否かの煩わしい判断を行うことなく、自己が望む料金と快適性とのバランスを実現することができる。
【０１５７】
また、本実施形態のデマンドレスポンス制御を実行するか否かを定める処理では、消費電力量の調整要求毎に、インセンティブの情報や我慢レート等に基づいてデマンドレスポンス制御を実行するか否かを判断処理するだけでなく、予め定められた確率によって自動的にデマンドレスポンス制御を実行させようとする判断処理が先に行われている。すなわち、図１０に示すフローチャートに示すように、ステップＳ１２において予め定められた確率によって「Ｙｅｓ」の判断がなされることで、ステップＳ１９において自動的にデマンドレスポンス制御を実行させる判断処理が行われている。これにより、需要家には、自己の現在の我慢レートに従うと受け入れることは無いと想定される消費電力量の調整要求（ステップＳ１６において「Ｎｏ」の判断がなされるような消費電力量の調整要求）についても、予め定められた確率に応じて強制的にデマンドレスポンス制御が開始される状況が生じる。このようにして、需要家には、当該強制的に開始されたデマンドレスポンス制御をキャンセルする機会もしくはキャンセルしない機会が付与されることになる。そして、ここで、強制的に開始されたデマンドレスポンス制御をキャンセルすることもしくはキャンセルしないことによって、その時点での需要家の嗜好を大きく反映させることが可能になる。例えば、現時ＨＥＭＳ記憶部５３に記憶されている現在の我慢レートに従うとデマンドレスポンス制御を実行しないように判断処理されることとなる消費電力量の調整要求が有った場合であっても、その時点での需要家の嗜好に基づいてキャンセルが行われることでもしくはキャンセルが行われないことで、我慢レートを大きく変更させるように更新させることが可能になる。より具体的には、最近までは消費電力量の調整要求を受け入れずにデマンドレスポンス制御を行わないことが多かった需要家が、電気料金を低額化させるためにインセンティブをより積極的に獲得していく方向に嗜好を変化させた場合において、予め定められた確率によって自動的にデマンドレスポンス制御が行われることとなった状況でキャンセルを行うことなく完遂させることで、需要家の最新の嗜好を我慢レートに大きく反映させることが可能になる。これにより、学習によって更新される我慢レートが、需要家の嗜好が大きく変化した場合においても、大きく変化することなく硬直化したままの状況で維持されることを防ぐことができている。そして、このように、我慢レートを大きく変更させうるための状況を、予め定められた確率によって生じさせることが可能になっている。
【０１５８】
なお、需要家が望む料金と快適性とのバランスの実現を、需要家に負担を掛けずに行うことができるため、煩わしさを理由にデマンドレスポンス制御を全く許容していなかった需要家に対して、当該システムの導入を促すことができるようになる。
【０１５９】
また、電力会社１等の電力供給側としても、各需要家が消費電力量の調整要求に応じるおおよその確率を予め把握することができるようになって、予定通りに近い処理を行うことができ、アグリゲータ３における電力の管理（消費電力量の予測等）が容易になるとともに、電力会社１において不必要に大規模な発電設備を備えておく必要性を低減させることが可能になる。
【０１６０】
また、インセンティブを諦めることと快適性を犠牲にすることとがバランスした判断基準値αが、需要家毎に定まっていくことで、各需要家の嗜好を予測しやすくなる。これにより、各ユーザによる消費電力量の調整要求のキャンセルの発生を低減させることができる。そして、このように各ユーザによるキャンセルを低減させることで、電力会社１やアグリゲータ３における電力の管理の予測性を高く維持することが可能になり、電力系統を安定化させることが可能になる。
【０１６１】
（８）変形例
（８−１）変形例Ａ
上記実施形態では、ＨＥＭＳプログラム５４が、予め、ＨＥＭＳコントローラ５に格納されている場合を例に挙げて説明した。
【０１６２】
ＨＥＭＳコントローラ５としては、これに限られるものではなく、例えば、図１３に示すように、上述したＨＥＭＳプログラム５４が一時的でなく格納されている記録媒体１５４を介して、このようなプログラムが格納されていなかったＨＥＭＳコントローラ５に対してインストールさせるようにしてもよい。
【０１６３】
また、ＨＥＭＳプログラム５４は、通信ネットワーク２を介してダウンロード可能に接続された任意の場所に格納されていてもよい。すなわち、このようなＨＥＭＳプログラム５４が格納されていなかったＨＥＭＳコントローラに、通信ネットワーク２を介してＨＥＭＳプログラム５４をダウンロードさせ、インストールさせるようにしてもよい。
【０１６４】
（８−２）変形例Ｂ
上記実施形態では、消費電力量の調整要求に応じてデマンドレスポンス制御を行うことに対するインセンティブの付与として、電気料金からインセンティブ分が差し引かれる処理を例に挙げて説明した。
【０１６５】
しかし、消費電力量の調整要求に応じてデマンドレスポンス制御を行うことに対する処理としては、これに限られるものではない。例えば、当初安めの電気料金の契約をしておき、デマンドレスポンス制御を受け入れなかった程度に応じて、電気料金が加算されるようにしてペナルティを付与するようにしてもよい。
【０１６６】
また、インセンティブの付与やペナルティの付与は、金銭に限られず、例えば、他の価値の有るものをインセンティブとして需要家に付与することや、他の価値の有るものをペナルティとして需要家から奪うこと等であってもよい。
【０１６７】
（８−３）変形例Ｃ
上記実施形態では、消費電力量の調整要求に対して応じるか否かの２択の予定を提示する場合を例に挙げて説明した。
【０１６８】
しかし、消費電力量の調整要求に対して、単に応じるか応じないかの２択ではなく、応じるレベルが複数に分かれて設定された予定が提出されていてもよい。すなわち、いずれも消費電力量の調整要求に応じる予定ではあるが、特定の日時に消費電力量の調整要求に応じる程度と、他の特定の日時に消費電力量の調整要求に応じる程度と、が異なるように予定を組むようにしてもよい。この場合には、例えば、ヒートポンプ７の制御方式が、通常制御とデマンドレスポンス制御の２択ではなく、デマンドレスポンス制御がさらに単位時間当たりの消費電力量について複数種類に分けられていてもよい。
【０１６９】
そして、デマンドレスポンス制御を行うレベルに応じて付与されるインセンティブの大きさが変わるように、すなわち、当該消費電力量の調整要求に対応するインセンティブの値の全てを付与するのではなく、デマンドレスポンス制御のレベル相当分だけが付与されるようにしてもよい。
【０１７０】
（８−４）変形例Ｄ
上記実施形態では、冷房デマンドレスポンス制御、暖房デマンドレスポンス制御、低外気時暖房デマンドレスポンス制御、給湯デマンドレスポンス制御、および、暖房給湯同時デマンドレスポンス制御について、いずれも予め定められた制御である場合を例に挙げて説明した。
【０１７１】
これに対して、これらの制御は、予め定められていなくてもよく、需要家がＨＥＭＳ入力部５５やヒートポンプコントローラ７ｓ等を介して消費電力量を調整したデマンドレスポンス制御の具体的な運転条件を入力可能なように構成されていてもよい。
【０１７２】
例えば、ＨＥＭＳ制御部５２の調整制御部５２ａが、消費電力量の調整要求の信号を受け付けた場合に、その時点で需要家が希望する当該デマンドレスポンス制御の具体的な運転条件を求めるように、ＨＥＭＳ出力部５６において、当該デマンドレスポンス制御の具体的な運転条件を求める表示を出力してもよい。そして、当該表示を見た需要家が、ＨＥＭＳ入力部５５を介して具体的な運転条件を入力し、調整制御部５２ａは、当該入力された具体的な運転条件を実行するようにヒートポンプコントローラ７ｓに指示を送信するようにしてもよい。
【０１７３】
そして、その場合に付与されるインセンティブについても、変形例Ｃと同様に、レベルに応じた分だけが付与されるように修正してもよい。
【０１７４】
（８―５）変形例Ｅ
上記実施形態では、デマンドレスポンス制御について、電力抑制制御と電力増大制御の両方が実行可能に構成されているＨＥＭＳコントローラ５を例に挙げて説明した。
【０１７５】
しかし、デマンドレスポンス制御については、上記実施形態の例に限定されるものではなく、例えば、電力抑制制御のみが実行可能に構成されていてもよいし、電力増大制御のみが実行可能に構成されていてもよい。
【符号の説明】
【０１７６】
３  アグリゲータ
４  ゲートウェイ
５  ＨＥＭＳコントローラ（設備機器の管理装置）
６  スマートメータ
７  ヒートポンプ（設備機器）
８  電化製品（設備機器）
１０  集中管理システム（設備機器の管理システム）
２０  冷媒回路
２１  圧縮機
２２  四路切換弁
２３  室外熱交換器
２４  室外ファン
２５  膨張弁
２６  水熱交換器
３１  アグリゲータ通信部
３２  アグリゲータ制御部
３３  アグリゲータ記憶部
３３ａ  料金契約情報
３４  アグリゲータプログラム
３５  アグリゲータ出力部
４１  ゲートウェイ通信部
４２  変換部
５１  ＨＥＭＳ通信部（要求受付部、要求受付装置）
５２  ＨＥＭＳ制御部
５２ａ  調整制御部（調整制制御装置）
５２ｂ  判断部（判断装置）
５３  ＨＥＭＳ記憶部（キャンセル履歴記憶部、キャンセル履歴記憶装置）
５３ａ  契約情報
５３ｂ  受け入れ判断基準
５４  ＨＥＭＳプログラム（プログラム）
５５  ＨＥＭＳ入力部（キャンセル受付部、キャンセル受付装置）
５６  ＨＥＭＳ出力部
７０  水回路
７０ｃ  空調回路
７０ｄ  床暖房回路
７０ｅ  給湯回路
７１  水回路補助ヒータ
７２  水回路ポンプ
７３  室内熱交換器
７４  室内ファン
７５  床暖房流量調節弁
７６  床暖房熱交換器
７７  給湯流量調節弁
７８  給湯熱交換器
７９  給湯補助ヒータ
８０  給湯回路
８１  入水管
８２  貯湯タンク
８３  出湯管
８４  給湯ポンプ
８５  連絡管
８６  混合弁
１００  エネルギ管理システム
１５４  記録媒体
【先行技術文献】
【特許文献】
【０１７７】
【特許文献１】特開平１０−３０８３４号公報
【図１】
2014120030.tif 000004
【図２】
2014120030.tif 000005
【図３】
2014120030.tif 000006
【図４】
2014120030.tif 000007
【図５】
2014120030.tif 000008
【図６】
2014120030.tif 000009
【図７】
2014120030.tif 000010
【図８】
2014120030.tif 000011
【図９】
2014120030.tif 000012
【図１０】
2014120030.tif 000013
【図１１】
2014120030.tif 000014
【図１２】
2014120030.tif 000015
【図１３】
2014120030.tif 000016